(57)【要約】【課題】緩減速から急減速に移行するような場合にも、適正にシートベルト引出動作のロック作動を起こすことができるシートベルトリトラクタを提供する。【解決手段】加速度センサ１００が、シートバックＳと一体的に傾動するセンサホルダ１０と、センサホルダ１０に揺動自在に支持されシートバックの傾動時に揺動することで慣性体支持面２３を常時水平に保持するセンサケース２０と、慣性体支持面２３上に載った状態でセンサケース２０内に格納され、所定以上の水平方向の加速度が加わった際に中立位置から変位する自立慣性体３０と、自立慣性体３０が変位した際の動きでロック機構を作動させる第１、第２センサレバー５０、４０と、揺動自在に支持されセンサケース２０の揺動する加速度よりも小さい水平方向の加速度に応答して移動する第２の慣性体６０と、センサケース２０に対して相対的に第２の慣性体６０が移動した際にセンサケース２０をロックするロック歯５ｂ及びロック爪７４，７５と、を具備する。【選択図】図２
2010149585.tif 000002
【特許請求の範囲】
【請求項１】
リクライニング式の車両用シートのシートバックに取り付けられるリトラクタフレームと、該リトラクタフレームに固定されたカバー部材と、水平方向の加速度を検出する加速度センサと、該加速度センサによって検出される加速度に応じてシートベルトの引出動作をロックするロック機構とを備えたシートベルトリトラクタにおいて、
前記加速度センサが、
前記シートバックと一体的に傾動するセンサホルダと、
該センサホルダに揺動自在に支持されており、前記シートバックの傾動時に前記センサホルダに対して揺動することで、慣性体支持面を常時水平に保持するセンサケースと、
前記慣性体支持面上に載った状態で、所定以上の水平方向の加速度が加わった際に中立位置から変位する第１の慣性体と、
該第１の慣性体が変位した際の動きで前記ロック機構をロック側へ作動させる作動部材と、
前記第１の慣性体よりも上方に備えられ、前記センサケースの揺動する加速度とは異なった水平方向の加速度に応答して移動する第２の慣性体と、
該第２の慣性体が前記センサケースに対して相対的に移動した際に、前記センサケースを前記カバー部材に対してロックするケースロック手段と、
を具備することを特徴とするシートベルトリトラクタ。
【請求項２】
前記ケースロック手段が、
前記センサケースに対して移動自在に支持される前記第２の慣性体と、
前記カバー部材に設けられる被係合部と、
前記センサケースに設けられ、前記第２の慣性体が移動したときに前記被係合部に係合することで、前記センサケースを前記カバー部材に対してロックするロック部と、
を含むことを特徴とする請求項１に記載のシートベルトリトラクタ。
【請求項３】
前記センサケースの上方に、前記第２の慣性体の移動に伴って回動自在なロックレバーが配置され、
前記カバー部材の前記センサホルダを収容する筒部の上部に、前記被係合部として、前記センサケースの揺動方向に沿って複数のロック歯が設けられ、
前記ロックレバーの先端部に、前記ロック歯に対向し、且つ、前記ロックレバーが回動した際に任意の前記ロック歯と係合することによって前記カバー部材に対し前記センサケースをロックするロック爪が前記ロック部として設けられていることを特徴とする請求項２に記載のシートベルトリトラクタ。
【請求項４】
前記ロックレバーは、前記センサケースの上方で、前記第２の慣性体の移動方向の両側に配置される一対のロックレバーを有することを特徴とする請求項３に記載のシートベルトリトラクタ。
【請求項５】
前記センサケースには、前記センサケースの揺動する加速度よりも、前記第２の慣性体が移動する加速度の方が小さくなるように設定された、前記第２の慣性体が移動する傾斜面が設けられていることを特徴とする請求項１〜４のいずれか１項に記載のシートベルトリトラクタ。
【発明の詳細な説明】
【技術分野】
【０００１】
本発明は、リクライニング式の車両用シートのシートバックに内蔵されるシートベルトリトラクタに関するものである。
【背景技術】
【０００２】
車両に搭載されるシートベルト装置は、シートバック内のシートベルトリトラクタから引き出されたシートベルトによって車両シートの乗員を拘束して車両衝突時等に乗員を保護するためのものである。シートベルトリトラクタは、車両衝突時等に水平方向に所定値より大きな加速度が作用すると、この加速度を加速度センサが検出して、シートベルトのロック機構を作動させ、これによりシートベルトを引き出し不能にする。加速度センサに使用される慣性体としては、ボールを使用したものや自立慣性体を使用したものが知られている。
【０００３】
リクライニング式の車両用シートのシートバックに、この種の加速度センサを備えたシートベルトリトラクタを装備した場合、シートバックのリクライニング角度によって、シートベルトリトラクタの取付姿勢が変わってしまうため、そのままでは適正に加速度を検出できなくなる。そこで、シートバッグのリクライニング角度によらず、適正に加速度を検出できるようにした加速度センサを装備したシートベルトリトラクタが、例えば特許文献１や特許文献２などにおいて提供されている。
【０００４】
図８は従来のこの種のシートベルトリトラクタの一例を示す図で、２００は加速度センサ、２０１はシートバッグのフレームに固定されるリトラクタフレーム、２０３はシートベルトを巻き取るスピンドル（図示略）に連結されてスピンドルと一体的に回転するロック機構のステアリングホイールである。
【０００５】
加速度センサ２００は、リトラクタフレーム２０１に固定されてシートバッグと一体的に傾動するセンサホルダ２１０と、センサホルダ２１０に揺動軸２１５を介して揺動自在に支持されており、シートバックの傾動時にセンサホルダ２１０に対して揺動することで、すり鉢状の慣性体支持面２２３を常時水平に保持するセンサケース２２０と、慣性体支持面２２３上に載った状態でセンサケース２２０内に格納され、所定以上の水平方向の加速度が加わった際に中立位置から変位するボール（慣性体）２３０と、ボール２３０が変位した際の動きでロック機構の第１レバー２５０をロック側へ作動させる第２レバー２４０と、を備えている。ここで、センサケース２２０とボール２３０が揺動するときの慣性力には差異が設けられており、リクライニングの傾斜に併せてセンサケース２２０が作動しなくてはならないために、センサケース２２０の方がボール２３０よりも速く作動するようになっている。
【０００６】
このシートベルトリトラクタによれば、車両に水平方向の一定以上の加速度が作用すると、ボール２３０が変位して、第２レバー２４０が持ち上がる。第２レバー２４０が持ち上げられると、それにより第１レバー２５０が持ち上がる。第１レバー２５０が持ち上げられると、第１レバー２５０の先端部が、ステアリングホイール２０３のロック歯２０４に噛むことで、ステアリングホイール２０３がロックされ、スピンドルが回らないように固定され、それにより、シートベルトが引出不能となる。
【特許文献１】特開平８−８０８０７号公報
【特許文献２】特開平１０−１５７５６９号公報
【発明の開示】
【発明が解決しようとする課題】
【０００７】
ところで、図８に示した従来のシートベルトリトラクタでは、車両進行方向の減速度を受けると、慣性によりセンサケース２２０が揺動軸２１５の周りに矢印Ｃ方向に回動して、図示のように傾いてしまう。従って、車両に通常の減加速度が作用した場合にはロック性能に問題はないが、極めて緩やかな減速から急減速に移行するような場合には、ボール２３０の作動タイミングに遅れが生じ、ロック遅れが出てしまうことがある。
【０００８】
ロック遅れが生じる原因は、１つは、車両が減速した時に、ボール２３０がセンサケース２２０内で動こうとする方向と同方向にセンサケース２２０が揺動するために、センサケース２２０に対するボール２３０の慣性力が減少してしまうからである。また１つは、センサケース２２０が減速により傾いた姿勢となるため、更に減速してボール２３０がロック機構の作動のために移動しようとしても、傾いた慣性体支持面２２３上をボール２３０が矢印Ｄ方向に動き難くなってしまうからである。
【０００９】
本発明は、上述した事情に鑑みてなされたものであり、その目的は、緩減速から急減速に移行するような場合にも、適正にシートベルト引出動作のロック作動を起こすことができ、あらゆる走行条件下での車両の急減速や衝突に対し、敏感に作動する感度のよいシートベルトリトラクタを提供することにある。
【課題を解決するための手段】
【００１０】
本発明の上記目的は、以下の構成によって達成される。
（１）  リクライニング式の車両用シートのシートバックに取り付けられるリトラクタフレームと、該リトラクタフレームに固定されたカバー部材と、水平方向の加速度を検出する加速度センサと、該加速度センサによって検出される加速度に応じてシートベルトの引出動作をロックするロック機構とを備えたシートベルトリトラクタにおいて、
前記加速度センサが、
前記シートバックと一体的に傾動するセンサホルダと、
該センサホルダに揺動自在に支持されており、前記シートバックの傾動時に前記センサホルダに対して揺動することで、慣性体支持面を常時水平に保持するセンサケースと、
前記慣性体支持面上に載った状態で、所定以上の水平方向の加速度が加わった際に中立位置から変位する第１の慣性体と、
該第１の慣性体が変位した際の動きで前記ロック機構をロック側へ作動させる作動部材と、
前記第１の慣性体よりも上方に備えられ、前記センサケースの揺動する加速度とは異なった水平方向の加速度に応答して移動する第２の慣性体と、
該第２の慣性体が前記センサケースに対して相対的に移動した際に、前記センサケースを前記カバー部材に対してロックするケースロック手段と、
を具備することを特徴とするシートベルトリトラクタ。
好ましくは、第２の慣性体の重心位置が第１の慣性体の重心位置よりも上方に設けられている。
【００１１】
（２）  前記ケースロック手段が、
前記センサケースに対して移動自在に支持される前記第２の慣性体と、
前記カバー部材に設けられる被係合部と、
前記センサケースに設けられ、前記第２の慣性体が移動したときに前記被係合部に係合することで、前記センサケースを前記カバー部材に対してロックするロック部と、
を含むことを特徴とする（１）に記載のシートベルトリトラクタ。
（３）  前記センサケースの上方に、前記第２の慣性体の移動に伴って回動自在なロックレバーが配置され、
前記カバー部材の前記センサホルダを収容する筒部の上部に、前記被係合部として、前記センサケースの揺動方向に沿って複数のロック歯が設けられ、
前記ロックレバーの先端部に、前記ロック歯に対向し、且つ、前記ロックレバーが回動した際に任意の前記ロック歯と係合することによって前記カバー部材に対し前記センサケースをロックするロック爪が前記ロック部として設けられていることを特徴とする（２）に記載のシートベルトリトラクタ。
（４）  前記ロックレバーは、前記センサケースの上方で、前記第２の慣性体の移動方向の両側に配置される一対のロックレバーを有することを特徴とする（３）に記載のシートベルトリトラクタ。
（５）  前記センサケースには、前記センサケースの揺動する加速度よりも、前記第２の慣性体が移動する加速度の方が小さくなるように設定された、前記第２の慣性体が移動する傾斜面が設けられていることを特徴とする（１）〜（４）のいずれかに記載のシートベルトリトラクタ。
なお、本願において上下方向とは、各慣性体や錘が自重で鉛直方向に垂下したとき、地面に対して地面に近づく方向を「下」、地面から離れる方向を「上」とする。また、この鉛直方向に対して直交し、地面と平行な方向を水平方向とする。
【発明の効果】
【００１２】
本発明のシートベルトリトラクタによれば、第１の慣性体を慣性体支持面に載せたセンサケースが、シートバックと一体に傾動するセンサホルダに揺動自在に支持されているので、シートバックのリクライニング角度によらず、慣性体支持面を常時水平に保つことができる。従って、リクライニング角度によらず、加速度に適正に反応して、シートベルトの引き出しをロックすることができる。
【００１３】
また、センサケースの揺動する加速度とは異なった水平方向の加速度に応答して移動する第２の慣性体が第１の慣性体よりも上方に設けられており、ケースロック手段によってその第２の慣性体が移動することによって、センサケースがカバー部材にロックされるようになっているので、車両が緩やかに減速してから急減速に移行した場合にも、センサケースを一定の姿勢に固定しておくことができ、第１の慣性体が変位するための条件が変わることがない。従って、例えば、緩減速から急減速に移行した場合にも、シートベルトのロック遅れが生じることがない。
ここで、第２の慣性体の重心位置が第１の慣性体の重心位置よりも上方に設けられていると、装置全体を小型化することができる。
【発明を実施するための最良の形態】
【００１４】
以下、本発明の各実施形態に係るシートベルトリトラクタについて図面を参照して詳細に説明する。
【００１５】
（第１実施形態）
図１は第１実施形態のシートベルトの分解斜視図、図２は図１のシートベルトリトラクタの主要部の構成を一部破断して示す基準姿勢の側面図、図３は図１のシートベルトリトラクタの主要部の構成を一部破断して示すリクライニング状態の側面図、図４はケースロック手段が無かった場合の作動時の状態を一部破断して示す側面図、図５は図１のシートベルトリトラクタの作動時の状態を一部破断して示す側面図である。
【００１６】
図１〜図３に示すように、本実施形態のシートベルトリトラクタは、リクライニング可能なリクライニング式の車両用シートのシートバックＳ（図２参照。）に取り付けられるもので、図１に示すように、シートバックＳに固定されるリトラクタフレーム１を備えており、リトラクタフレーム１には、シートベルト（図示せず）を巻き取るスピンドル２が回転可能に支持されている。スピンドル２の軸方向の一端側には、スピンドル２をシートベルトの巻取り方向に付勢するリトラクタスプリング（図示略）が連結され、該リトラクタスプリングは、カバー（図示略）に収容された状態でリトラクタフレーム１に取り付けられている。
【００１７】
スピンドル２の軸方向の他端側には、シートベルトの引出動作をロックするロック機構の主要素であるステアリングホイール３と、車両に作用する水平方向の加速度を検出し、加速度に応じて前記ロック機構を作動させる加速度センサ１００と、が設けられている。
【００１８】
また、リトラクタフレーム１の他端側にはカバー部材（ベアリングプレートとも言う）５が固定され、このカバー部材５の中にスピンドル２の軸受部やステアリングホイール３が収容され、カバー部材５の下部の筒部５ａには、加速度センサ１００が収容されている。また、カバー部材５の筒部５ａの開口部周縁の上部には、被係合部として複数のロック歯５ｂが設けられている。
【００１９】
加速度センサ１００は、シートバックＳと一体的に傾動するセンサホルダ１０と、センサホルダ１０に揺動自在に支持されたセンサケース２０と、センサケース２０中に格納された第１の慣性体としての自立慣性体３０と、自立慣性体３０の動きによりロック機構をロック作動させる作動部材としての第１センサレバー５０及び第２センサレバー４０と、センサケース２０に対して移動自在に支持される第２の慣性体６０と、センサケース２０の上方に取り付けられ、第２の慣性体６０の移動に伴って回動自在な一対のロックレバー７０，７１と、センサケース２０の下方に取り付けられる第３の慣性体９０と、から構成されている。なお、第１センサレバー５０は、ロック機構の要素も兼ねている。
【００２０】
センサホルダ１０は、互いに平行に離間した一対の略扇状の側壁１１，１２と、中央下方に開口部１９（図２参照。）を有して、側壁１１，１２の円弧状の外周縁間を繋ぐ部分円筒状の壁部１３とを有した上下に貫通した容器形状を有する。センサホルダ１０は、一方の側壁１１に設けられた係止部１１ａをリトラクタフレーム１に嵌め込むことによってリトラクタフレーム１に一体的に固定される。センサホルダ１０の一対の側壁１１，１２には、センサケース２０を支持する軸孔１４が設けられており、これら軸孔１４にセンサケース２０に突設した軸部２４を嵌めることで、センサケース２０が鉛直面内で図２の矢印Ｇ方向に揺動自在に支持されている。
【００２１】
センサケース２０は、周壁２１と底壁２２を有する容器状の第１センサケース２５と、この第１センサケース２５の上方に取り付け固定される第２センサケース８０と、を有する。第１センサケース２５の底壁２２の上面中央には、自立慣性体３０が載置される慣性体支持面２３が形成される。第１センサケース２５には、下方に設けられた把持爪２６によってウェイトとしての第３の慣性体９０が取り付けられる。これにより、図３に示すようなシートバックＳの傾動時においても、センサホルダ１０に対してセンサケース２０が揺動することで、慣性体支持面２３を常時水平に保持することができるようになっている。この慣性体支持面２３を常時水平に保持するとは、慣性体支持面２３の基準面（例えば、慣性体支持面２３の上面）を水平に保持することを指す。
【００２２】
自立慣性体３０は、底面３１を有する小径部３２と、上部にすり鉢状の案内面３３を有する大径部３４を備えた略円柱形状を有する。自立慣性体３０は、中心合わせした状態で、第１センサケース２０の慣性体支持面２３上に底面３１を載せることで、自立した状態で第１センサケース２５内に格納されている。
【００２３】
自立慣性体３０の底面３１と第１センサケース２５の慣性体支持面２３とが接触する平面は、加速度センサ１００の感度を決めるものである。自立慣性体３０は、慣性体支持面２３上に載った状態で、所定以上の水平方向の加速度を受けたときに中立位置から変位する。
【００２４】
センサケース２０の周壁２１の上端部には、第２センサレバー４０を支持するための軸受孔２７が設けられており、それら軸受孔２７に軸ピン２７ａを介して第２センサレバー４０の基部４１が上下方向回動自在に取り付けられている。また、センサホルダ１０の一方の側壁１１で、軸孔１４の上方には、第１センサレバー５０を支持するための支持孔１５が設けられており、それら支持孔１５に軸５１ａを介して、第１センサレバー５０の基部５１が上下方向回動自在に取り付けられている。
【００２５】
第１センサレバー５０は、先端部にロック爪５２を有し、回動自在に支持された基部５１と先端部との中間部に、回動軸方向に突出する突起部５３を有する。この突起部５３は、第２センサレバー４０の当接部４３の上面に摺動自在に載っている。この第１センサレバー５０は、ステアリングホイール３の下側に配置されており、上方に持ち上がって、ロック爪５２がステアリングホイール３のロック歯４に係合することで、ステアリングホイール３の回転を規制する役目を果たす。
【００２６】
第２センサレバー４０は、基部４１から上面が上に凸となるように湾曲した腕部４２を有し、この腕部４２の下方には、自立慣性体３０の案内面３３と接触する先端球面状の突部４４を有する。腕部４２の上面は、前述した第１センサレバー５０の突起部５３に摺動自在に当接する当接部４３を形成する。この第２センサレバー４０は、自立慣性体３０の上側で且つ第１センサレバー５０の下側に配置されており、自立慣性体３０が中立位置から変位した際に、上方に持ち上がって、第１センサレバー５０を上方に押し上げる働きをなす。この第１センサレバー５０と第２センサレバー４０は、自立慣性体３０が変位した際に、反対方向に回動するように回動軸線の位置が設定されている。
【００２７】
また、第２センサケース８０は、第１センサケース２５の周壁２１の上部に形成された被係合溝２８に、下方に形成された係合部８１を挿入することで、第１センサケース２５に一体固定される。第２センサケース８０は、回動する第１及び第２センサレバー４０，５０と干渉しない、回動軸方向において、カバー部材５のロック歯５ｂと同じ位置に配置されている。第２センサケース８０の係合部８１より上側部分は、円筒ころである第２の慣性体６０が移動するように上面が上に凹となるようにＶ字状に緩やかに傾斜した傾斜面をなす底壁８２（図２参照。）と、第２の慣性体６０の軸方向幅より広い間隔で対向する一対の側壁８３，８４を有し、上方が開口された略長方体形状をなしている。一対の側壁８３，８４で、回動軸方向と直交する方向の両端部上方には、一対のロックレバー７０，７１を支持するための支持孔８５，８６が設けられている。それら支持孔８５，８６には、軸８５ａ，８６ａを介して、ロックレバー７０，７１の基部７２，７３が上下方向回動自在に取り付けられている。即ち、ロックレバー７０，７１は、第２の慣性体６０の移動方向の両側に配置される。
【００２８】
従って、第２センサケース８０に支持された第２の慣性体６０は、自立慣性体３０よりも上方に備えられる。なお、第２の慣性体６０の重心位置が自立慣性体３０の重心位置よりも上方に設けられるようにしてもよい。
【００２９】
また、第１センサケース２５には、自立慣性体３０、第２センサレバー４０、第３の慣性体９０が設けられ、第２センサケース８０には、第２の慣性体６０、及び一対のロックレバー７０，７１が設けられる。このため、センサケース２０が揺動するときには、それと一緒に、これら全体が一つの慣性体を構成している。従って、これら全体の自重により、慣性体支持面２３の水平が保たれるように重量バランスが設定されている。
【００３０】
一対のロックレバー７０，７１は、先端部にロック爪（ロック部）７４，７５を有し、回動自在に支持された基部７２，７３と先端部との中間部に、第２の慣性体６０と当接可能な突出部７６，７７（図２参照。）を有する。一対のロックレバー７０，７１は、第２の慣性体６０が第２センサケース８０の底壁８２に沿って車両進行方向と略平行な方向に移動するとき、いずれかのロックレバー７０，７１が上下方向に回動するようになっている。
【００３１】
カバー部材５のロック歯５ｂは、センサケース２０の揺動軸（軸部２４、軸孔１４）を中心とする円周に沿って周方向に一定ピッチで多数設けられている。これらロック歯５ｂは、センサケース２０の揺動方向に沿って配列されている。そして、ロックレバー７０，７１のロック爪７４，７５は、ロックレバー７０，７１が回動した際に任意のロック歯５ｂと係合する。従って、本実施形態では、第２センサケース８０の円筒面をなす底壁８２に移動自在に支持される第２の慣性体６０と、カバー部材５に設けられるロック歯５ｂと、第２センサケース８０に設けられ、第２の慣性体６０が移動したときにロック歯５ｂに係合するロックレバー７０，７１のロック爪７４，７５とにより、ケースロック手段が構成されている。
【００３２】
なお、センサケース２０の揺動軸線、第１センサレバー５０の回動軸線、第２センサレバー４０の回動軸線、一対のロックレバー７０，７１の揺動軸線は、全て、スピンドル２の回動軸線と平行に水平方向を向くように設定されている。
【００３３】
また、第２の慣性体６０と第２の慣性体６０を案内支持する第２センサケース８０の底壁８２は、センサケース２０の揺動する加速度よりも小さい水平方向の加速度に応答して移動するように慣性特性が設定されている。即ち、第２センサケース８０の底壁８２には、センサケース２０の揺動する加速度よりも、第２の慣性体６０が移動する加速度の方が小さくなるように設定された、第２の慣性体が移動するＶ字状の緩やかな傾斜面が設けられている。
【００３４】
次に、本実施形態のシートベルトリトラクタについて、作用を説明する。
シートベルトリトラクタが基準姿勢にあるときは、図２に示すように、第２の慣性体６０は移動しておらず、センサケース２０は自重により一定の姿勢を保持している。この状態から、シートバックＳをリクライニング姿勢にすると、図３に示すように、リトラクタフレーム１に固定されたセンサホルダ１０が、シートバックＳと一体的に傾動する。その際、センサケース２０は、自重によりセンサホルダ１０に対して揺動し、慣性体支持面２３を水平に保持するように一定の姿勢を保つ。このように、シートバックＳのリクライニング角度によらず（シートクッションと平坦状に連続するようにシートバックを傾倒するフルフラットシートバックの場合を含む）、慣性体支持面２３を常時水平に保つことができるので、リクライニング角度によらず、加速度に適正に反応して、シートベルトの引き出しをロックすることができる。
【００３５】
次に、車両進行方向に対して緩やかな減速度が作用した場合は、図５に示すように、センサケース２０の揺動する加速度よりも小さい水平方向の加速度に応答して、第２の慣性体６０が矢印Ｅ方向に変位することによって、ロックレバー７０が矢印Ｋ方向に変位する。そうするとロックレバー７０の先端部のロック爪７４がカバー部材５のロック歯５ｂに係合し、センサケース２０がカバー部材５にロックされる。従って、図４に示すように、ケースロック手段が無い場合は、センサケース２０が緩やかな減速度で矢印Ｇ１方向に揺動して傾いてしまうのを防止することができ、図５に示すように、センサケース２０を一定の姿勢に固定しておくことができる。そのため、車両が緩やかに減速してから急減速に移行した際にも、矢印Ｈ方向に自立慣性体３０が移動するための条件を常に変えることなく維持することができ、それゆえに緩減速から急減速に移行した場合のシートベルトのロック遅れの発生を防ぐことができる。
【００３６】
例えば、０．１〜０．２Ｇの緩やかな減速（ブレーキ）が作用した段階で、第２の慣性体６０の移動によりロックレバー７０のロック爪７４がカバー部材５のロック歯５ｂと係合するので、その段階でセンサケース２０の水平を維持することができる。従って、その後に急ブレーキあるいは衝突による大きな減速度（例えば、０．３〜０．４Ｇ）が作用した場合に、水平が維持されたセンサケース２０内で自立慣性体３０が変位することになるので、正常な動作が可能となる。
なお、車両後進方向に緩やかな減速度が作用した場合には、第２の慣性体６０が矢印Ｅ方向と反対方向に変位する。このため、ロックレバー７１のロック爪７５がカバー部材５のロック歯５ｂに係合し、センサケース２０がカバー部材５にロックされ、同様に、ロック遅れの発生を防ぐことができる。
【００３７】
以上の説明のように、本実施形態のシートベルトリトラクタによれば、第１の慣性体である自立慣性体３０を格納したセンサケース２０が、シートバックＳと一体に傾動するセンサホルダ１０に揺動自在に支持されているので、シートバックＳのリクライニング角度によらず、慣性体支持面２３を常時水平に保つことができる。従って、リクライニング角度によらず、加速度に適正に反応して、シートベルトの引き出しをロックすることができる。
【００３８】
また、センサケース２０の揺動する加速度より小さい水平方向の加速度に応答して移動する第２の慣性体６０が設けられている。その第２の慣性体６０が移動することによって、ケースロック手段によってセンサケース２０がカバー部材５にロックされるようになっているので、車両が緩やかに減速してから急減速に移行した場合にも、センサケース２０を一定の姿勢に固定しておくことができ、自立慣性体３０が変位するための条件が変わることがない。従って、緩減速から急減速に移行した場合にも、シートベルトのロック遅れが生じることがない。
また、第２の慣性体６０は、自立慣性体３０（第１の慣性体）の重心位置より上方に重心位置を有するので、シートベルトリトラクタの上下方向の寸法を小さくすることができる。
さらに、第２の慣性体６０は、円筒ころ形状としたので、ボール形状に比べて回転軸方向の寸法を大きくすることなく、イナーシャマスを得ることができる。
【００３９】
また、本実施形態のシートベルトリトラクタによれば、ケースロック手段が、センサケース２０に対して移動自在に支持される第２の慣性体６０と、カバー部材５に設けられるロック歯５ｂと、センサケース２０に設けられ、第２の慣性体６０が移動したときにロック歯５ｂに係合することで、センサケース２０をカバー部材５に対してロックするロック爪７４，７５と、で構成されるので、簡単な構成で、確実にセンサケース２０をロックさせることができる。
【００４０】
また、本実施形態のシートベルトリトラクタは、センサケース２０の上方で、第２の慣性体６０の移動方向の両側に配置される一対のロックレバー７０，７１を有するので、ロックレバー７０，７１が、車両の前進方向と後進方向の２つに分けられて軽量化されることで、各方向の加速度に対して作動の安定化が図れ、センサ感度を向上することができる。これにより、第２の慣性体６０も回転軸方向に薄くでき、装置全体を小型化することができる。
【００４１】
また、本実施形態のシートベルトリトラクタによれば、第２センサケース８０の底壁８２に第２の慣性体６０が移動する緩やかな傾斜面を設けることで、簡単な構成で、センサケース２０の揺動する加速度よりも、第２の慣性体６０が移動する加速度を小さく設定することができる。
【００４２】
（第２実施形態）
次に、本発明の第２実施形態に係るシートベルトリトラクタについて、図６及び図７を参照して説明する。なお、第１実施形態と同等部分については同一符号を付して説明を省略する。
【００４３】
第１実施形態のシートベルトリトラクタでは、一対のロックレバー７０，７１が使用されていたが、本実施形態のシートベルトリトラクタでは、一対のアーム部１１１，１１２を有する単一のロックレバー１１０が代わりに用いられる。第２センサケース８０の一対の側壁８３，８４には、回動軸方向と直交する方向の中間部上方に支持孔８７が設けられており、この支持孔８７に軸８７ａを介して、ロックレバー１１０の基部１１３が回動自在に取り付けられている。また、ロックレバー１１０のアーム部１１１，１１２は、先端部にロック爪１１４，１１５をそれぞれ有する。基部１１３の下面には、底壁８２の中間部に位置する第２の慣性体６０の外周面に沿うように上に凹んだ円筒面１１３ａが形成されている。
【００４４】
従って、このように構成されるシートベルトリトラクタにおいても、第１実施形態と同様、慣性体支持面２３の常時水平維持とともに、緩やかな減速度が作用した際のセンサケース２０のロックを実現することができる。
【００４５】
即ち、車両の前進方向と後進方向のいずれにおいても、緩やかな減速度が作用した場合には、センサケース２０の揺動する加速度よりも小さい水平方向の加速度に応答して、第２の慣性体６０が変位してロックレバー１１０の円筒面１１３ａの縁部に当接する。それにより、ロックレバー１１０が回動して、いずれかのアーム部１１１，１１２のロック爪７４、７５がカバー部材５のロック歯５ｂに係合することで、センサケース２０をカバー部材５にロックする。従って、車両が緩やかに減速してから急減速に移行した場合にも、センサケース２０を一定の姿勢に固定しておくことができ、自立慣性体３０が変位するための条件が変わることがない。
その他の構成及び作用については、第１実施形態のものと同様である。
【００４６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
例えば、上記実施形態では、第１の慣性体が自立慣性体３０である場合を示したが、自立慣性体以外に、ボールを使用した場合にも本発明は適用することができる。
【００４８】
また、上記実施形態では、センサケース２０を第１及び第２センサケース２５，８０で構成した場合を示したが、単一部材によって形成してもよい。
【００４９】
さらに、上記実施形態では、第２センサケース８０の底壁８２には、第２の慣性体６０が移動する緩やかな傾斜面が設けられているが、緩やかな円弧面であってもよい。従って、本発明の第２の慣性体６０の移動とは、揺動する場合も含む。
【図面の簡単な説明】
【００５０】
【図１】本発明の第１実施形態のシートベルトリトラクタの分解斜視図である。
【図２】図１のシートベルトリトラクタの主要部の構成を一部破断して示す基準姿勢の側面図である。
【図３】図１のシートベルトリトラクタの主要部の構成を一部破断して示すリクライニング状態の側面図である。
【図４】ケースロック手段が無かった場合の作動時の状態を一部破断して示す側面図である。
【図５】図１のシートベルトリトラクタの作動時の状態を一部破断して示す側面図である。
【図６】本発明の第２実施形態のシートベルトリトラクタの主要部の構成の側面図である。
【図７】図６のシートベルトリトラクタの主要部の構成を一部破断して示す側面図である。
【図８】従来のシートベルトリトラクタの加速度センサが緩やかな減速度を受けたときの状態を示す側面図である。
【符号の説明】
【００５１】
３  ステアリングホイール（ロック機構）
５  カバー部材
５ｂ  ロック歯（被係合部、ケースロック手段）
１０  センサホルダ
２０  センサケース
２３  慣性体支持面
２５  第１センサケース
３０  自立慣性体（第１の慣性体）
４０  第２センサレバー（作動部材）
５０  第１センサレバー（ロック機構、作動部材）
６０  第２の慣性体（ケースロック手段）
７０，７１，１１０  ロックレバー（ケースロック手段）
７４，７５  ロック爪（ロック部、ケースロック手段）
８０  第２センサケース
９０  第３の慣性体
１００  加速度センサ
Ｓ  シートバック
【図１】
2010149585.tif 000003
【図２】
2010149585.tif 000004
【図３】
2010149585.tif 000005
【図４】
2010149585.tif 000006
【図５】
2010149585.tif 000007
【図６】
2010149585.tif 000008
【図７】
2010149585.tif 000009
【図８】
2010149585.tif 000010